(57)【要約】【課題】本発明は、輝度分布をユーザに対して直感的に認識させる。【解決手段】本発明は、映像信号Ｓ１から輝度信号Ｙを抽出し、当該輝度信号Ｙに基づいて輝度分布を算出し、当該輝度分布における輝度レベルごとの画素数に応じた数の丸マークＣＭ１を積み重ねるように配置してヒストグラムＨＧを生成して表示部９に表示するようにしたことにより輝度分布をユーザに対して直感的に認識させることができる。【選択図】図４
2010113288.tif 000002
【特許請求の範囲】
【請求項１】
連続する複数のフレームでなる映像信号が入力される映像信号入力部と、
上記映像信号入力部に入力された上記映像信号を基に上記フレームを構成する複数の画素それぞれの輝度値が示された輝度信号を抽出する輝度信号抽出部と、
上記輝度信号に基づいて所定階調に区分された輝度レベルにそれぞれ対応した画素数をカウントすることにより輝度分布を算出する輝度分布算出部と、
上記輝度分布における上記輝度レベルごとの上記画素数に応じた数のマークを積み重ねるように配置してヒストグラムを生成するヒストグラム生成部と、
上記映像信号に基づく映像に対して上記ヒストグラムを重畳して表示部に表示させる表示制御部と
を具えるヒストグラム表示装置。
【請求項２】
上記ヒストグラム表示装置は、
上記輝度分布算出部により算出された互いに前後する前フレーム及び後フレームの上記輝度分布における上記輝度レベルごとの上記画素数を比較することによりその差分を算出する差分算出部と
を具え、
上記ヒストグラム生成部は、
上記前フレームに対応する上記ヒストグラムに対して、上記差分算出部により算出された上記差分に応じて変化した部分だけ上記マークを再配置する
請求項１に記載のヒストグラム表示装置。
【請求項３】
上記ヒストグラム生成部は、
上記変化した部分を上記前フレームに対応する上記輝度分布に基づく上記マークとは異なるマークにより再描画する
請求項２に記載のヒストグラム表示装置。
【請求項４】
上記表示制御部は、
上記表示部に表示させるべき上記映像の画質を設定させるための画質設定メニューを上記ヒストグラムと共に表示させる
請求項３に記載のヒストグラム表示装置。
【請求項５】
連続する複数のフレームでなる映像信号が入力される映像信号入力ステップと、
上記映像信号を基に上記フレームを構成する複数の画素それぞれの輝度値が示された輝度信号を抽出する輝度信号抽出ステップと、
上記輝度信号に基づいて所定階調に区分された輝度レベルにそれぞれ対応した画素数をカウントすることにより輝度分布を算出する輝度分布算出ステップと、
上記輝度分布における上記輝度レベルごとの上記画素数に応じた数のマークを積み重ねるように配置してヒストグラムを生成するヒストグラム生成ステップと、
上記映像信号に基づく映像に対して上記ヒストグラムを重畳して表示部に表示させる表示制御ステップと
を具えるヒストグラム表示方法。
【発明の詳細な説明】
【技術分野】
【０００１】
本発明は、ヒストグラム表示装置及びヒストグラム表示方法に関し、例えばテレビジョン受像機に適用して好適なものである。
【背景技術】
【０００２】
従来、テレビジョン受像機のなかには、映像信号を復号することによりフレームごとの輝度信号を抽出し、当該輝度信号を基に例えば２５６階調に区分された輝度レベルごとの画素数を算出する。
【０００３】
そしてテレビジョン受像機は、横軸を輝度レベルとし、縦軸を画素数とした折れ線グラフで表されるヒストグラムを生成し、当該ヒストグラムを表示部に表示する（例えば、特許文献１参照）。
【特許文献１】特開２００７−３２４７６３公報
【発明の開示】
【発明が解決しようとする課題】
【０００４】
ところで上述したテレビジョン受像機では、ヒストグラムの階調が細かく、かつ折れ線グラフにより表示しているので、フレーム間の輝度分布の変化をユーザに分からせづらく、また輝度分布をユーザに対して直感的に認識させることができないという問題があった。
【０００５】
本発明は以上の点を考慮してなされたもので、輝度分布をユーザに対して直感的に認識させ得るヒストグラム表示装置及びヒストグラム表示方法を提案しようとするものである。
【課題を解決するための手段】
【０００６】
かかる課題を解決するため本発明のヒストグラム表示装置においては、連続する複数のフレームでなる映像信号が入力される映像信号入力部と、映像信号入力部に入力された映像信号を基にフレームを構成する複数の画素それぞれの輝度値が示された輝度信号を抽出する輝度信号抽出部と、輝度信号に基づいて所定階調に区分された輝度レベルにそれぞれ対応した画素数をカウントすることにより輝度分布を算出する輝度分布算出部と、輝度分布における輝度レベルごとの画素数に応じた数のマークを積み重ねるように配置してヒストグラムを生成するヒストグラム生成部と、映像信号に基づく映像に対してヒストグラムを重畳して表示部に表示させる表示制御部とを設けるようにした。
【０００７】
また本発明のヒストグラム表示方法においては、連続する複数のフレームでなる映像信号が入力される映像信号入力ステップと、映像信号を基にフレームを構成する複数の画素それぞれの輝度値が示された輝度信号を抽出する輝度信号抽出ステップと、輝度信号に基づいて所定階調に区分された輝度レベルにそれぞれ対応した画素数をカウントすることにより輝度分布を算出する輝度分布算出ステップと、輝度分布における輝度レベルごとの画素数に応じた数のマークを積み重ねるように配置してヒストグラムを生成するヒストグラム生成ステップと、映像信号に基づく映像に対してヒストグラムを重畳して表示部に表示させる表示制御ステップとを設けるようにした。
【０００８】
これにより、輝度レベルごとに画素数に応じた数のマークを積み重ねるように配置したヒストグラムを表示部に表示することができる。
【発明の効果】
【０００９】
本発明によれば、輝度レベルごとに画素数に応じた数のマークを積み重ねるように配置したヒストグラムを表示部に表示することができ、かくして輝度分布をユーザに対して直感的に認識させることができる。
【発明を実施するための最良の形態】
【００１０】
以下に、図面について、本発明の一実施の形態を詳述する。
【００１１】
（１）第１の実施の形態
（１−１）テレビジョン受像機の構成
図１に示すように、テレビジョン受像機１は、ＣＰＵ(Central Processing Unit)、ＲＯＭ(Read Only Memory)及びＲＡＭ(Random Access Memory)で構成され制御部２が全体を統括制御するようになされている。
【００１２】
具体的には、制御部２は、ＲＯＭに格納された基本プログラムをＲＡＭに展開し、当該基本プログラムに従ってテレビジョン受像機１を統括制御する。また制御部２は、ＲＯＭに格納された各種アプリケーションプログラムをＲＡＭに展開し、当該各種アプリケーションプログラムに従って各種処理を実行するようになされている。
【００１３】
テレビジョン受像機１では、例えばチューナ（図示せず）や、ＤＶＤ（Digital Versatile Disc）プレーヤ或いはＢｌｕ−Ｒａｙ（登録商標）レコーダ等の外部機器から連続する複数のフレームでなる映像信号Ｓ１が映像入力部３に入力される。そして映像入力部３は、当該映像信号Ｓ１を映像処理部４のデコード部５へ送信する。
【００１４】
デコード部５は、映像入力部３から供給された映像信号Ｓ１を復号することにより、フレームを構成する複数の画素それぞれの輝度値が示された輝度信号Ｙと色差信号Ｃｂ／Ｃｒとを抽出し、当該輝度信号Ｙを輝度分布算出部６へ送信する。
【００１５】
またデコード部５は、復号することにより得られた輝度信号Ｙ及び色差信号Ｃｂ／Ｃｒに対して所定の信号処理を施すことにより、Ｒ（Red）信号、Ｇ（Green）信号、Ｂ（Blue）信号からなる映像信号Ｓ２を生成し、当該映像信号Ｓ２を制御部２の画質制御部７へ送信する。
【００１６】
画質制御部７は、デコード部５から供給される映像信号Ｓ２に対して、例えばピクチャー、明るさ、色の濃さ、色合い、色温度等を設定する画質設定処理を施し、その結果得られる映像信号Ｓ３を表示制御部８へ送信する。
【００１７】
表示制御部８は、画質制御部７から供給される映像信号Ｓ３をＬＣＤ（Liquid Crystal
Display）等でなる表示部９に出力することにより当該映像信号Ｓ３に対応した映像を表示部９に表示するようになされている。
【００１８】
一方、輝度分布算出部６は、デコード部５から供給される輝度信号Ｙを基に例えば８階調に区分された輝度レベルにそれぞれ対応する画素数をカウントすることにより輝度分布を算出する。そして輝度分布算出部６は、算出した輝度分布のデータ（以下、これを輝度分布データとも呼ぶ）ＢＬをメモリ部１０へ送信することにより、当該メモリ部１０へ輝度分布データＢＬを記憶させる。
【００１９】
因みに輝度分布算出部６は、デコード部５から供給されるフレームごとの輝度信号Ｙを順に取得するようになされており、当該フレームごとの輝度分布を順次算出して輝度分布データＢＬとして順次メモリ部１０へ記憶するようになされている。
【００２０】
ところでテレビジョン受像機１では、当該テレビジョン受像機１の開発段階において、外部のパーソナルコンピュータ（図示せず）が所定のケーブルを介して外部接続インターフェース部１２と接続されるようになされている。
【００２１】
そしてテレビジョン受像機１は、外部のパーソナルコンピュータから外部接続インターフェース部１２を介して供給される制御命令ＣＳ１に基づいて各種処理を実行し得るようになされている。
【００２２】
例えば、制御部２は、ヒストグラムを表示部９に表示させるための制御命令ＣＳ１が外部のパーソナルコンピュータから外部接続インターフェース部１２を介して供給されると、ヒストグラム表示処理を実行する。
【００２３】
このとき制御部２のＯＳＤ（On Screen Display）制御部１１は、ヒストグラム表示処理を実行した時点から最初に記憶された輝度分布データＢＬをメモリ部１０から読み出すと、図２に示すように、当該輝度分布データＢＬに基づいてヒストグラムＨＧを生成する。
【００２４】
このヒストグラムＨＧは、横軸が輝度レベルでなり、当該輝度レベルが小さいほど暗く、輝度レベルが大きくなるほど明るいことを示している。またヒストグラムＨＧは、縦軸が画素数でなり、輝度分布データＢＬを基づいて、画素数に応じた数の丸マークＣＭ１が輝度レベルごとに積み重なるようにして配置されている。
【００２５】
そしてＯＳＤ制御部１１は、ヒストグラムＨＧのデータ（以下、これをヒストグラムデータとも呼ぶ）Ｈ１を表示制御部８へ送信する。
【００２６】
このときＯＳＤ制御部１１は、ヒストグラムＨＧを表示部９に表示する際の配置位置、ヒストグラムＨＧの線色、透過度等も決定するようになされており、当該配置位置、線色、透過度等のデータ（以下、これを描画データとも呼ぶ）Ｂ１を表示制御部８へ送信する。
【００２７】
表示制御部８は、画質制御部７から供給される映像信号Ｓ３に対して、ＯＳＤ制御部１１から供給されるヒストグラムデータＨ１のヒストグラムＨＧを描画データＢ１に従って混合することにより重畳する。
【００２８】
そして表示制御部８は、映像信号Ｓ３に対してヒストグラムＨＧが重畳された映像信号Ｓ４を表示部９に出力することにより、図３に示すようなテレビ画面Ｇ１を表示部９に表示するようになされている。
【００２９】
そしてＯＳＤ制御部１１は、最初のフレームに対応する輝度分布データＢＬに基づくヒストグラムＨＧを生成すると、次のフレームに対応する輝度分布データＢＬをメモリ部１０から読み出す。
【００３０】
次にＯＳＤ制御部１１は、最初のフレームに対応する輝度分布データＢＬと次のフレームに対応する輝度分布データＢＬと比較し、輝度レベルごとの画素数の差分を算出する。
【００３１】
そしてＯＳＤ制御部１１は、最初のフレームに対応する図４（Ａ）に示すようなヒストグラムＨＧに対して、図４（Ｂ）に示すようなヒストグラムＨＧを再描画する。
【００３２】
このヒストグラムＨＧ（図４（Ｂ））では、画素数が増加した部分に、丸マークＣＭ１とは異なる色でなる丸マークＣＭ２を差分に応じた数だけ再配置し、画素数が減少した部分に、破線でなる丸マークＣＭ３を差分に応じた数だけ再配置することによりヒストグラムＨＧを再描画する。
【００３３】
そしてＬＳＤ制御部１１は、当該再描画したヒストグラムＨＧに対応するヒストグラムデータＨ１を表示制御部８へ送信することにより、当該表示制御部８により表示部９に再描画したヒストグラムＨＧを表示する。
【００３４】
続いてＯＳＤ制御部１１は、次のフレームに対応する輝度分布データＢＬをメモリ部１０から読み出すと、前回取得した輝度分布データＢＬと今回取得した輝度分布データＢＬとを比較し、輝度レベルごとの画素数の差分を算出する。
【００３５】
そしてＯＳＤ制御部１１は、差分に応じて増加及び減少した部分に異なる色でなる丸マークＣＭ２及び破線でなる丸マークＣＭ３を再配置することによりヒストグラムＨＧを再描画し、当該ヒストグラムＨＧに対応するヒストグラムデータＨ１を表示制御部８を介して表示部９に表示する。
【００３６】
このようにＯＳＤ制御部１１は、輝度分布データＢＬを取得する度に、今回取得した輝度分布データＢＬと前回取得した輝度分布データＢＬとの差分を算出し、算出した差分に対応する部分のみをヒストグラムＨＧに再描画するようになされている。
【００３７】
これによりテレビジョン受像機１は、ヒストグラムＨＧを開発者に直感的に認識させ得ると共に、フレームごとに変化するヒストグラムＨＧの遷移をより容易に目視確認させることができる。
【００３８】
そして制御部２は、表示部９に表示する映像の画質を変更するための制御命令ＣＳ１が外部のパーソナルコンピュータから供給されると、画質制御部７によって上述したピクチャー、明るさ、色合い、色温度等の画質設定処理を映像信号Ｓ２に対して施すようになされている。
【００３９】
（１−２）ヒストグラム表示処理手順
次に、ヒストグラムＨＧを表示部９に対して表示するヒストグラム表示処理手順を図５に示すフローチャートを用いて詳細に説明する。
【００４０】
すなわちデコード部５は、ステップＳＰ１において、映像入力部３から供給される映像信号Ｓ１を取得すると、当該映像信号Ｓ１をデコードすることにより輝度信号Ｙ及び色差信号Ｃｂ／Ｃｒを抽出し、当該輝度信号Ｙを輝度分布算出部６へ送信し、次のステップＳＰ２へ移る。
【００４１】
ステップＳＰ２において輝度分布算出部６は、輝度信号Ｙに基づいて８階調の輝度レベルごとの画素数をカウントすることにより輝度分布を算出し、その結果得られる輝度分布データＢＬをメモリ部１０へ送信し、次のステップＳＰ３へ移る。
【００４２】
因みにデコード部５はステップＳＰ１において、ヒストグラム表示処理を実行している間、映像入力部３から供給される映像信号Ｓ１をデコードすることにより得られる輝度信号Ｙをフレーム単位で順に輝度分布算出部６へ送信するようになされている。
【００４３】
また輝度分布算出部６はステップＳＰ２において、ヒストグラム表示処理を実行している間、デコード部５から供給される輝度信号Ｙに基づいて輝度分布をフレームごとに順次算出し、輝度分布データＢＬを算出した順にメモリ部１０へ記憶するようになされている。
【００４４】
ステップＳＰ３において制御部２は、ＯＳＤ制御部１１により、ヒストグラム表示処理を実行して最初のフレームに対応した輝度分布データＢＬをメモリ部１０から読み出すと、当該輝度分布データＢＬに基づいてヒストグラムＨＧを生成し、次のステップＳＰ４へ移る。
【００４５】
ステップＳＰ４において制御部２は、表示制御部８により、画質制御部７から供給される映像信号Ｓ３に対してヒストグラムＨＧを重畳したテレビ画面Ｇ１を表示部９に表示し、次のステップＳＰ５へ移る。
【００４６】
ステップＳＰ５において制御部２は、ＯＳＤ制御部１１により、次のフレームに対応した輝度分布データＢＬをメモリ部１０から読み出すことにより取得し、次のステップＳＰ６へ移る。
【００４７】
ステップＳＰ６において制御部２は、ＯＳＤ制御部１１により、今回取得した輝度分布データＢＬ及び前回取得した輝度分布データＢＬの輝度レベルごとの画素数の差分を算出し、当該算出した差分に対応する部分のみをヒストグラムＨＧに再描画し、次のステップＳＰ７へ移る。
【００４８】
ステップＳＰ７において制御部２は、表示制御部８により、画質制御部７から供給される映像信号Ｓ３に対して、ステップＳＰ６において再描画されたヒストグラムＨＧを重畳したテレビ画面Ｇ１を表示し、次のステップＳＰ８へ移る。
【００４９】
ステップＳＰ８において制御部２は、外部のパーソナルコンピュータから外部接続インターフェース部１２を介してヒストグラムＨＧの表示をオフする制御命令ＣＳ１が供給されたか否かを判断する。
【００５０】
ステップＳＰ８において否定結果が得られると制御部２は、ステップＳＰ５へ戻り、外部のパーソナルコンピュータから外部接続インターフェース部１２を介してヒストグラムＨＧの表示をオフする制御命令ＣＳ１が供給されるまでステップＳＰ５からＳＰ８までを繰り返し行う。
【００５１】
これに対してステップＳＰ８において肯定結果が得られると、このことは、開発者がヒストグラムＨＧの表示を終了するための操作を行ったことを表しており、このとき制御部２は、次のステップＳＰ９へ移って処理を終了する。
【００５２】
（１−３）動作及び効果
上述した実施の形態においてテレビジョン受像機１は、映像入力部３を介して入力された連続する複数のフレームでなる映像信号Ｓ１をデコードすることによりフレームを構成する複数の画素それぞれの輝度値が示された輝度信号Ｙを抽出する。
【００５３】
そしてテレビジョン受像機１は、輝度信号Ｙに基づいて例えば８階調に区分された輝度レベルにそれぞれ対応した画素数をカウントすることにより輝度分布を算出し、当該輝度分布における輝度レベルごとの画素数に応じた数の丸マークＣＭ１を積み重ねるように配置してヒストグラムＨＧを生成する。
【００５４】
そしてテレビジョン受像機１は、映像信号Ｓ３に基づく映像に対してヒストグラムＨＧを重畳して表示部９に表示するようにした。
【００５５】
従ってテレビジョン受像機１は、当該テレビジョン受像機１を開発中の開発者にヒストグラムＨＧを目視確認させることで、当該ヒストグラムＨＧに対応する映像の輝度分布を容易に目視確認させることができる。
【００５６】
ところで従来のテレビジョン受像機では、当該テレビジョン受像機の開発中に、外部のパーソナルコンピュータに輝度信号Ｙを供給し、当該パーソナルコンピュータがそのディスプレイにヒストグラムを表示するようになされている。
【００５７】
これに対してテレビジョン受像機１は、表示部９に映像と共にヒストグラムＨＧを表示するので、開発者にパーソナルコンピュータのディスプレイ及び表示部９を交互に目視確認させるという煩雑な作業を強いることなく、容易にヒストグラムＨＧ及び映像を目視確認させることができる。
【００５８】
またテレビジョン受像機１は、前後のフレームにそれぞれ対応する輝度分布データＢＬを基に、当該前後のフレームにおける輝度レベルごとの画素数を比較することによりその差分を算出し、当該差分に応じて変化した部分だけ丸マークＣＭ２又はＣＭ３を再配置してヒストグラムＨＧを再描画するようにした。
【００５９】
従ってテレビジョン受像機１は、２番目のフレーム以降に対応するヒストグラムＨＧを生成し直す必要がない分、処理負荷を低減することができ、かつ処理速度を高速にすることができる。
【００６０】
さらにテレビジョン受像機１は、互いに前後するフレーム間に対する輝度レベルごとの画素数の差分に応じて、画素数が増加した部分には丸マークＣＭ１とは異なる色でなる丸マークＣＭ２を差分に応じた数だけ再配置し、画素数が減少した部分には破線でなる丸マークＣＭ３を差分に応じた数だけ再配置することによりヒストグラムＨＧを再描画するようにした。
【００６１】
従ってテレビジョン受像機１は、フレームごとに変化するヒストグラムＨＧの変化をより容易に目視確認させることができ、かくして輝度分布の遷移を直感的に認識させることができる。
【００６２】
以上の構成によれば、テレビジョン受像機１は、映像信号Ｓ１から輝度信号Ｙを抽出し、当該輝度信号Ｙに基づいて輝度分布を算出し、当該輝度分布における輝度レベルごとの画素数に応じた数の丸マークＣＭ１を積み重ねるように配置してヒストグラムＨＧを生成して表示部９に表示するようにした。これによりテレビジョン受像機１は、ユーザに対して輝度分布を直感的に認識させることができる。
【００６３】
（２）第２の実施の形態
（２−１）テレビジョン受像機の構成
図１との対応部分に同一符号を付した図６に示すように、テレビジョン受像機２０は、テレビジョン受像機１（図１）における外部接続インターフェース部１２に代えてリモートコントローラ（以下、これをリモコンとも呼ぶ）２１、センサ部２２及びデバイス制御装置２３が設けられている。
【００６４】
テレビジョン受像機２０では、ユーザによるリモコン２１の操作に応じて出射されるリモコン信号ＲＳをセンサ部２２により受信すると、当該リモコン信号ＲＳをデバイス制御装置２３へ送信する。
【００６５】
デバイス制御装置２３は、センサ部２２を介してリモコン２１から供給されたリモコン信号ＲＳに応じた制御命令ＣＳ２を制御部２へ送信する。
【００６６】
制御部２は、例えば表示部９に表示する映像の画質を変更するための画質設定メニューが選択されたことを意味する制御命令ＣＳ２がデバイス制御装置２３から供給されると、ヒストグラムＨＧ及び後述する画質設定メニュー画面を表示部９に表示する画質設定処理を実行する。
【００６７】
このとき制御部２のＯＳＤ制御部１１は、上述したヒストグラム表示処理と同様にヒストグラムＨＧを生成し、当該ヒストグラムＨＧに対応したヒストグラムデータＨ１及び描画データＢ１を表示制御部８へ送信する。
【００６８】
これと同時にＯＳＤ制御部１１は、ユーザに対して映像画質を調整させるための画質設定メニュー画面ＧＭ（図７）のデータ（以下、これを画質設定メニュー画面データとも呼ぶ）ＧＤ１と、当該画質設定メニュー画面ＧＭを表示部９に表示する際の配置位置、線色、透過度等のデータ（以下、これを描画データとも呼ぶ）Ｂ２を表示制御部８へ送信する。
【００６９】
表示制御部８は、画質制御部７から供給される映像信号Ｓ３に対して、ＯＳＤ制御部１１から供給されるヒストグラムデータＨ１のヒストグラムＨＤと、画質設定メニュー画面データＧＤ１の画質設定メニュー画面ＧＭを描画データＢ１及びＢ２に従って混合することにより重畳する。
【００７０】
そして表示制御部８は、映像信号Ｓ３に対してヒストグラムＨＤ及び画質設定メニュー画面ＧＭが重畳された映像信号Ｓ５を表示部９に出力することにより、図７に示すようなテレビ画面Ｇ２を表示部９に表示するようになされている。
【００７１】
またＯＳＤ制御部１１は、第１の実施の形態と同様に、輝度分布データＢＬを取得する度に、今回取得した輝度分布データＢＬと前回取得した輝度分布データＢＬとの差分を算出し、算出した差分に対応する部分のみをヒストグラムＨＧに再描画するようになされている。
【００７２】
そして制御部２は、表示部９に表示している画質設定メニュー画面ＧＭの例えばピクチャーを選択する制御命令ＣＳ２がユーザのリモコン２１に対する操作に応じてセンサ部２２及びデバイス制御装置２３を介して供給される。
【００７３】
このとき制御部２は、図８に示すように、画質設定メニュー画面ＧＭに代えてピクチャーを変更させるためのピクチャー調整画面ＡＧが表示されたテレビ画面Ｇ３を表示部９に表示するようになされている。
【００７４】
そして制御部２は、ピクチャーを変更させる制御命令ＣＳ２がユーザによるリモコン２１への操作に応じてセンサ部２２及びデバイス制御装置２３を介して供給されると、当該制御命令ＣＳ２に応じて設定されたピクチャーになるような画質設定処理を画質制御部７によって映像信号Ｓ２に対して施す。
【００７５】
そして制御部２は、表示制御部８によって画質設定処理を施した映像信号Ｓ３に対応する映像を表示部９に表示する。
【００７６】
ちなみに制御部２は、画質設定メニュー画面ＧＭの明るさ、色の濃さ、色合い、色温度等が選択された場合も、当該明るさ、色合い、色温度等にそれぞれ対応する調整画面（図示せず）を表示部９に表示する。
【００７７】
そして制御部２は、その調整画面に対する操作に応じて明るさ、色の濃さ、色合い、色温度等の画質設定処理を映像信号Ｓ２に対して施し、その結果得られる映像信号Ｓ３に対応する映像を表示部９に表示する。
【００７８】
（２−２）画質設定処理手順
次にユーザのリモコン操作に応じて表示部９に表示する映像の画質を設定する画質設定処理手順を図９のフローチャートを用いて詳細に説明する。
【００７９】
すなわち制御部２は、ステップＳＰ１１において、リモコン２１からセンサ部２２及びデバイス制御装置２３を介して表示部９に表示する映像の画質を調整するための画質設定メニューが選択されたことを意味する制御命令ＣＳ２が供給されると、次のステップＳＰ１２へ移る。
【００８０】
ステップＳＰ１２において制御部２は、ＯＳＤ制御部１１により生成されたヒストグラムＨＧ及び画質設定メニュー画面ＧＭを表示制御部８によって映像信号Ｓ３に対して重畳することにより、ヒストグラムＨＧ及び画質設定メニュー画面ＧＭを表示部９に表示し、次のステップＳＰ１３へ移る。
【００８１】
ステップＳＰ１３において制御部２は、ユーザによるリモコン２１の操作に応じてセンサ部２２及びデバイス制御装置２３を介して画質を変更する制御命令ＣＳ２が供給された否かを判断し、否定結果が得られるとステップＳＰ１６へ移る。
【００８２】
これに対してステップＳＰ１３において肯定結果が得られると、このことは、ユーザによるリモコン２１の操作に応じてセンサ部２２及びデバイス制御装置２３を介して画質を変更する制御命令ＣＳ２が供給されたことを表しており、このとき制御部２は、次のステップＳＰ１４へ移る。
【００８３】
ステップＳＰ１４において制御部２は、ステップＳＰ１３において供給された制御命令ＣＳ２に応じて表示部９へ表示する映像のピクチャー、明るさ、色の濃さ、色合い、色温度等を設定し、次のステップＳＰ１５へ移る。
【００８４】
ステップＳＰ１５において制御部２は、ステップＳＰ１４において設定した画質で映像信号Ｓ３に対応する映像を表示部９に表示し、次のステップＳＰ１６へ移る。
【００８５】
ステップＳＰ１６において制御部２は、リモコン２１からセンサ部２２及びデバイス制御装置２３を介して画質設定メニューをオフするための制御命令ＣＳ２が供給されたか否かを判断する。
【００８６】
ステップＳＰ１６において否定結果が得られると制御部２は、ステップＳＰ１３へ戻り、リモコン２１からセンサ部２２及びデバイス制御装置２３を介して画質設定メニューをオフするための制御命令ＣＳ２が供給されるまでステップＳＰ１３からステップＳＰ１６までを繰り返し行う。
【００８７】
これに対してステップＳＰ１６において肯定結果が得られると、このことは、ユーザが画質設定を終了するためにリモコン２１を操作したことを表しており、このとき制御部２は、次のステップＳＰ１７へ移って処理を終了する。
【００８８】
（２−３）動作及び効果
以上の構成においてテレビジョン受像機２０は、表示部９に表示する映像の画質を変更するための画質設定メニューが選択されたことを意味する制御命令ＣＳ２が供給されると、ヒストグラムＨＧ及び画質設定メニュー画面ＧＭをＯＳＤ制御部１１によって生成する。
【００８９】
そしてテレビジョン受像機２０は、ヒストグラムＨＤ及び画質設定メニュー画面ＧＭを映像信号Ｓ３に重畳したテレビ画面Ｇ２を表示部９に表示するようにした。
【００９０】
従ってテレビジョン受像機２０は、ユーザにヒストグラムＨＧを目視確認させながら、表示部９に表示する映像のピクチャー、明るさ、色の濃さ、色合い、色温度等の画質設定を行わせることができる。
【００９１】
これによりテレビジョン受像機２０は、従来のような画質設定メニューだけを表示していた場合と比して、より容易にユーザ所望の画質に設定させることができる。
【００９２】
またテレビジョン受像機２０は、ピクチャー、明るさ、色の濃さ、色合い、色温度等の画質設定に応じてヒストグラムＨＧをフレーム単位で変化させることができるので、画質設定が反映された輝度分布を視覚的に理解させることができる。
【００９３】
以上の構成によれば、テレビジョン受像機２０は、ヒストグラムＨＧ及び画質設定メニュー画面ＧＭを映像信号Ｓ３に重畳したテレビ画面Ｇ２を表示部９に表示することにより、容易に画質設定をユーザに対して行わせることができる。
【００９４】
（３）他の実施の形態
なお上述した第１及び第２の実施の形態においては、輝度分布データＢＬを基に輝度レベルごとに画素数に応じた数の丸マークＣＭ１〜ＣＭ３を積み重ねるようにして配置してヒストグラムＨＧを生成するようにした場合について述べた。
【００９５】
しかしながら本発明はこれに限らず、ＯＳＤ制御部１１は、例えば四角、三角等のマークを画素数に応じて積み重ねるようにしてもよく、要はユーザに対して直感的に認識させることができる形状であればその形状は問わない。
【００９６】
また上述した第１及び第２の実施の形態においては、前後のフレームに対応する輝度分布データＢＬの差分を算出し、画素数が増加した部分には丸マークＣＭ１とは異なる色でなる丸マークＣＭ２を差分に応じた数だけ再配置し、画素数が減少した部分には破線でなる丸マークＣＭ３を差分に応じた数だけ再配置することにより、ヒストグラムＨＧを再描画するようにした場合について述べた。
【００９７】
しかしながら本発明はこれに限らず、ＯＳＤ制御部１１は、画素数が増加した部分には丸マークＣＭ１を再配置するようにしてもよい。
【００９８】
さらに上述した第１及び第２の実施の形態においては、輝度レベルを８階調に区分するようにした場合について述べたが、本発明はこれに限らず、例えば４階調や１０階調等に輝度レベルを区分するようにしても良い。要はヒストグラムＨＧを表示部９に表示する際、ユーザが直感的に認識することができるようであれば、輝度レベルの階調数は問わない。
【００９９】
さらに上述した第２の実施の形態においては、画質設定処理を実行する際、ヒストグラムＨＧを常に表示するようにした場合について述べたが、本発明はこれに限らず、例えばリモコン２１の操作に応じてヒストグラムＨＧのオンオフを切り替えるようにしても良い。
【０１００】
さらに上述した第２の実施の形態においては、画質設定処理を実行する際、ヒストグラムＨＧをユーザに目視確認させながら画質設定を行わせるようにした場合について述べた。
【０１０１】
しかしながら本発明はこれに限らず、制御部２は、予めＲＯＭ等に推奨すべき輝度分布を記憶しておき、メモリ部１０から読み出した輝度分布データＢＬと比較することにより、ユーザに対して当該推奨すべき輝度分布に近づくような画質設定をユーザに促すようにしても良い。
【０１０２】
さらに上述した第１及び第２実施の形態においては、テレビジョン受像機１及び２０の制御部２が、予めＲＯＭに格納されているアプリケーションプログラムに従い、上述したルーチンＲＴ１のヒストグラム表示処理手順及びルーチンＲＴ２の画質設定処理手順を行うようにした場合について述べた。
【０１０３】
しかしながら本発明はこれに限らず、テレビジョン受像機１及び２０の制御部２は、記憶媒体からインストールしたアプリケーションプログラムや、インターネットからダウンロードしたアプリケーションプログラム、その他種々のルートによってインストールしたアプリケーションプログラムに従って上述したヒストグラム表示処理手順及び画質設定処理手順を行うようにしても良い。
【０１０４】
さらに上述した実施の形態においては、映像信号入力部として映像入力部３、輝度信号抽出部としてデコード部５、輝度分布算出部として輝度分布算出部６、ヒストグラム生成部としてＯＳＤ制御部１１、表示制御部として表示制御部８によって本発明のヒストグラム表示装置としてのテレビジョン受像機１及び２０を構成するようにした場合について述べた。しかしながら本発明はこれに限らず、この他種々の構成でなる映像信号入力部、輝度信号生成部、輝度分布算出部、ヒストグラム生成部、表示制御部によってヒストグラム表示装置を構成するようにしても良い。
【産業上の利用可能性】
【０１０５】
本発明のヒストグラム表示装置は、テレビジョン受像機以外にも、例えばパーソナルコンピュータ、プロジェクタ等のその他種々に実装された映像表示装置に適用することができる。
【図面の簡単な説明】
【０１０６】
【図１】第１の実施の形態におけるテレビジョン受像機の構成を示す略線図である。
【図２】ヒストグラムの構成を示す略線図である。
【図３】ヒストグラムを重畳したテレビ画面の構成を示す略線図である。
【図４】ヒストグラムの再描画の様子を示す略線図である。
【図５】ヒストグラム表示処理手順の説明に供するフローチャートである。
【図６】第２の実施の形態におけるテレビジョン受像機の構成を示す略線図である。
【図７】画質設定メニュー及びヒストグラムを重畳したテレビ画面の構成を示す略線図である。
【図８】ピクチャー調整メニュー及びヒストグラムを重畳したテレビ画面の構成を示す略線図である。
【図９】画質設定処理手順の説明に供するフローチャートである。
【符号の説明】
【０１０７】
１、２０……テレビジョン受像機、２……制御部、３……映像入力部、４……映像処理部、５……デコード部、６……輝度分布算出部、７……画質制御部、８……表示制御部、９……表示部、１０……メモリ部、１１……ＯＳＤ制御部、１２……外部接続インターフェース部、２１……リモコン、２２……センサ部、２３……デバイス制御装置、ＧＭ……画質設定メニュー画面、ＨＧ……ヒストグラム。
【図１】
2010113288.tif 000003
【図２】
2010113288.tif 000004
【図３】
2010113288.tif 000005
【図４】
2010113288.tif 000006
【図５】
2010113288.tif 000007
【図６】
2010113288.tif 000008
【図７】
2010113288.tif 000009
【図８】
2010113288.tif 000010
【図９】
2010113288.tif 000011